(57)【要約】【課題】  原稿排出部を原稿受入部の下方に設置した画像読取装置において、免許証等の硬い原稿を折れ曲がる等により損傷させることなく、搬出入及び画像の読取可能な画像読取装置を提供することを目的とする。【解決手段】  搬入される原稿の画像を画像読取位置１で読み取る画像読取部２と、湾曲状の搬入経路３を介して搬入される原稿を受け入れる第１原稿受入部４と、直線状の搬入経路５を搬入される原稿を受け入れる第２原稿受入部６とを有し、第１原稿受入部４から受け入れた原稿と第２原稿受入部６から受け入れた原稿との画像読取位置１での搬入方向が同一の画像読取装置１００である。【選択図】図１
2008005278.tif 000002
【特許請求の範囲】
【請求項１】
搬入される原稿の画像を画像読取位置で読み取る画像読取部と、
湾曲状の搬入経路を介して搬入される原稿を受け入れる第１原稿受入部と、
直線状の搬入経路を搬入される原稿を受け入れる第２原稿受入部とを有し、
前記第１原稿受入部から受け入れた原稿と前記第２原稿受入部から受け入れた原稿との前記画像読取位置での搬入方向が同一であることを特徴とする画像読取装置。
【請求項２】
前記画像読取位置で画像が読み取られ直線状の搬出経路を搬出された原稿を排出する原稿排出部を具備することを特徴とする請求項１記載の画像読取装置。
【請求項３】
前記画像読取位置で画像が読み取られ湾曲状の搬出経路を介して搬出された原稿を排出する原稿排出部を具備することを特徴とする請求項１記載の画像読取装置。
【請求項４】
前記画像読取位置で画像が読み取られ直線状の搬出経路を搬出された原稿を排出する第１原稿排出部と、
前記画像読取位置で画像が読み取られ湾曲状の搬出経路を介して搬出された原稿を排出する第２原稿排出部とを具備することを特徴とする請求項１記載の画像読取装置。
【請求項５】
前記画像読取位置で画像が読み取られた原稿を選択的に前記直線状の搬出経路又は前記湾曲状の搬出経路へ搬出させるための原稿搬送選択部を具備することを特徴とする請求項４記載の画像読取装置。
【発明の詳細な説明】
【技術分野】
【０００１】
本発明は、画像読取装置に関し、詳しくは、２つの原稿搬送経路を有するものであって、免許証等の硬い原稿を搬送し、画像の読み取りが可能な画像読取装置に関する。
【背景技術】
【０００２】
スキャナー、ファクシミリ、コピー機及びこれらの複合機等の画像読取装置は、ＡＤＦ（Ａｕｔｏ  Ｄｏｃｕｍｅｎｔ  Ｆｅｅｄｅｒ）を有するものがあり、ＡＤＦによって、原稿受入部から原稿を受け入れ、受け入れた原稿を画像読取部の画像読取位置まで搬送し、画像読取部で読み取った原稿を原稿排出部から排出する一連の動作を行う。
【０００３】
従来の画像読取装置は、装置自体の省スペース化等の理由から、装置上部に原稿受入部を、原稿受入部の下方に原稿排出部をそれぞれ設け、原稿受入部から原稿排出部までの原稿の搬出入経路が曲率半径の小さい湾曲状を含むＵ字状の経路となっている。具体的には、図７に示すように、画像読取装置４００の原稿受入部４０から原稿を受け入れ、受け入れた原稿を湾曲状の搬入経路４１を介して画像読取位置４２まで搬入し、画像読取位置４２で画像読取部４３により画像を読み取った原稿を湾曲状の搬出経路４４を介して原稿排出部４５から排出する。
【０００４】
しかし、画像読取装置４００は、原稿の搬出入経路が湾曲状を含む連続した経路となっているため、免許証等の硬い原稿を搬出入する場合、原稿自体が硬いために原稿が湾曲状の搬出入経路を搬出入できない、又は搬出入されるものの原稿が折れ曲がる等により原稿を損傷させるという問題点がある。
【０００５】
この点を考慮した発明として、特許文献１には、原稿が原稿排出部の下方に位置する原稿受入部から曲率半径の小さい湾曲状の搬送経路を含む搬送経路を経て、原稿排出部まで搬送される画像読取装置において、上記湾曲状の搬送経路の途中に硬い原稿が通過可能な原稿逃げ部を有する画像読取装置が開示されている。
【特許文献１】特開２０００−２６００３号公報
【発明の開示】
【発明が解決しようとする課題】
【０００６】
特許文献１の画像読取装置は、硬い原稿を曲率半径の小さい湾曲状の搬送経路を搬送することなく、当該湾曲状の搬送経路の途中に開口可能に設けた原稿逃げ部より排出することで上記問題点を解決している。しかし、特許文献１の画像読取装置は、原稿を原稿排出部の下方に位置する原稿受入部から受け入れ、上部の原稿排出部から排出する構成となっている。原稿受入部が原稿排出部の下方に設置されている場合、原稿の原稿受入部への載置及び原稿が原稿受入部へ適切に受け入れられたかの確認が面倒になるという問題点がある。また、この問題点を解決するために原稿受入部を原稿排出部から離して設置した場合には、装置自体の高さが高くなり操作性が悪くなることや装置自体が大きくなり装置の省スペース化の点で問題がある。
【０００７】
本発明は、かかる問題を解決すべくなされたものであり、原稿排出部を原稿受入部の下方に設置した画像読取装置において、免許証等の硬い原稿を折れ曲がる等により損傷させることなく、搬送及び画像の読取可能な画像読取装置を提供することを目的とする。
【課題を解決するための手段】
【０００８】
当該目的を達成するために、請求項１に記載の画像読取装置は、搬入される原稿の画像を画像読取位置で読み取る画像読取部と、湾曲状の搬入経路を介して搬入される原稿を受け入れる第１原稿受入部と、直線状の搬入経路を搬入される原稿を受け入れる第２原稿受入部とを有し、前記第１原稿受入部から受け入れた原稿と前記第２原稿受入部から受け入れた原稿との前記画像読取位置での搬入方向が同一であることを特徴としている。
【０００９】
請求項２に記載の画像読取装置は、請求項１記載の画像読取装置において、前記画像読取位置で画像が読み取られ直線状の搬出経路を搬出された原稿を排出する原稿排出部を具備することを特徴としている。
【００１０】
請求項３に記載の画像読取装置は、請求項１記載の画像読取装置において、前記画像読取位置で画像が読み取られ湾曲状の搬出経路を介して搬出された原稿を排出する原稿排出部を具備することを特徴としている。
【００１１】
請求項４に記載の画像読取装置は、請求項１記載の画像読取装置において、前記画像読取位置で画像が読み取られ直線状の搬出経路を搬出された原稿を排出する第１原稿排出部と、前記画像読取位置で画像が読み取られ湾曲状の搬出経路を介して搬出された原稿を排出する第２原稿排出部とを具備することを特徴としている。
【００１２】
請求項５に記載の画像読取装置は、請求項４記載の画像読取装置において、前記画像読取位置で画像が読み取られた原稿を選択的に前記直線状の搬出経路又は前記湾曲状の搬出経路へ搬出させるための原稿搬送選択部を具備することを特徴としている。
【発明の効果】
【００１３】
請求項１に記載の画像読取装置によれば、直線状の搬入経路を搬入される原稿を受け入れる第２原稿受入部を有することから、免許証等の硬い原稿の画像を読み取る場合、原稿を直線状の搬入経路を搬入させることができるため、折れ曲がる等により原稿を損傷させることなく、画像読取位置までの搬入及び読み取り可能な画像読取装置を提供することができる。
【００１４】
請求項２に記載の画像読取装置によれば、請求項１記載の画像読取装置において、画像読取位置で画像が読み取られ直線状の搬出経路を搬出された原稿を排出する原稿排出部を具備することから、免許証等の硬い原稿の画像を読み取る場合、原稿を直線状の搬出経路より搬出させることができるため、折れ曲がる等により原稿を損傷させることなく、原稿の搬出及び読み取り可能な画像読取装置を提供することができる。
【００１５】
請求項３に記載の画像読取装置によれば、請求項１記載の画像読取装置において、画像読取位置で画像が読み取られ湾曲状の搬出経路を介して搬出された原稿を排出する原稿排出部を具備することから、原稿排出部を画像読取位置より高い位置に設けることが可能な画像読取装置を提供することができる。よって、原稿排出部より排出される複数枚の原稿を重ねて、画像読取位置より高い位置に保持することが可能となる。
【００１６】
請求項４に記載の画像読取装置によれば、請求項１記載の画像読取装置において、画像読取位置で画像が読み取られ直線状の搬出経路を搬出された原稿を排出する第１原稿排出部と、画像読取位置で画像が読み取られ湾曲状の搬出経路を介して搬出された原稿を排出する第２原稿排出部とを具備することから、免許証等の硬い原稿とそれ以外の原稿とを別々に排出可能な画像読取装置を提供することができる。また、請求項２及び３に記載の画像読取装置と同様の効果の画像読取装置を提供することができる。
【００１７】
請求項５に記載の画像読取装置によれば、請求項４記載の画像読取装置において、画像読取位置で画像が読み取られた原稿を選択的に直線状の搬出経路又は湾曲状の搬出経路へ搬出させるための原稿搬送選択部を具備することから、直線状の搬入経路を搬入した硬い原稿を直線状の搬出経路を介して排出することが可能となり、折れ曲がる等により原稿を損傷させることなく、原稿の排出が可能な画像読取装置を提供することができる。
【発明を実施するための最良の形態】
【００１８】
以下、本発明の実施形態に係る画像読取装置について図面に基づいて説明する。図１は本発明の実施形態に係る画像読取装置１００についての内部構成の概略図である。
【００１９】
画像読取装置１００は、図１に示すように、搬入される原稿の画像を画像読取位置１で読み取る画像読取部２と、湾曲状の搬入経路３を介して搬入される原稿を受け入れる第１原稿受入部４と、直線状の搬入経路５を搬入される原稿を受け入れる第２原稿受入部６と、画像読取位置１で画像が読み取られ直線状の搬出経路７を搬出された原稿を排出する原稿排出部８とを有する。また画像読取装置１００は、第１原稿受入部４から受け入れた原稿と第２原稿受入部６から受け入れた原稿との画像読取位置１での搬入方向が同一である。このようにして、画像読取装置１００は、湾曲状の搬入経路３と直線状の搬出経路７がＵ字状の搬出入経路を構成し、直線状の搬入経路５と直線状の搬出経路７が直線状の搬出入経路を構成するＡＤＦを装備する。画像読取部１００がこのような構成のＡＤＦを装備することにより、Ｕ字状の搬出入経路のＵターン後に、直線状の搬入経路５から原稿を合流させることができる。
【００２０】
画像読取位置１は、第１原稿受入部４又は第２原稿受入部６から搬入された原稿の画像を画像読取部２が読み取る位置である。第１原稿受入部４又は第２原稿受入部６から搬入された原稿は、必ず画像読取位置１を通過し、その通過の際に画像読取部２により原稿の画像が読み取られる。
【００２１】
画像読取部２は、第１原稿受入部４又は第２原稿受入部６から搬入された原稿の画像を読み取る部分である。画像読取部２は、画像読取位置１へ光を照射する光源２ａと、原稿からの反射光Ｒを所定の方向へ導くための反射ミラー２ｂと、反射光Ｒを収束する集光レンズ２ｃと、該収束光を電気信号に変換して出力する電荷結合素子２ｄとで構成されている。このように構成された画像読取部２により、搬入経路３、５から搬入されてくる原稿の画像を画像読取位置１で読み取る。
【００２２】
湾曲状の搬入経路３は、第１原稿受入部４と画像読取位置１とを連通する湾曲状の搬入経路であり、第１原稿受入部４から受け入れた原稿は下方へ反転されて画像読取位置１に搬入される。即ち、第１原稿受入部４で上側となっている面が下側となり、該面が画像読取部２に読み取られる。湾曲状の搬入経路３は、搬入経路の曲率半径を小さくすることにより、狭いスペースに搬入経路を設けることができ、装置高さが低く操作性の良い画像読取装置を提供することができる。湾曲状の搬入経路３には、原稿を搬入するためのフィードローラ９が適宜配置されている。フィードローラ９は、その回転軸がモータ等の駆動源（図示せず）とベルトやギア等を介して連動されることにより回転するものとなっている。また、フィードローラ９と対向してプレスローラ１０が配置され、フィードローラ９の回転により、原稿をプレスローラ１０とでニップしながら画像読取位置１へ搬入する。
【００２３】
第１原稿受入部４は、原稿トレイ４ａと、ピックアップローラ４ｂと、セパレートローラ４ｃと、リタードローラ４ｄとで構成されている。原稿トレイ４ａは、画像読取装置１００の上部に、原稿を受け入れる方向へ傾斜するように設けられており、原稿の束は原稿トレイ４ａの傾斜下端側に揃えるようにして載置される。ピックアップローラ４ｂは、原稿トレイ４ａに載置された原稿の最上紙を取り出すためのものであり、揺動アーム４ｅに軸支されて、原稿トレイ４ａの底面に接離可能となっている。セパレートローラ４ｃ及びリタードローラ４ｄは、それぞれのローラの表面で原稿をニップすることができるように配置され、セパレートローラ４ｃは、ピックアップローラ４ｂにより受け入れた原稿を湾曲状の搬入経路３に一定速度で送り込むとともに、リタードローラ４ｄが搬入方向と同方向へ回転して、原稿の束から最上紙を確実に分離するようになっている。なお、ピックアップローラ４ｂ、セパレートローラ４ｃ、及びリタードローラ４ｄは、駆動源（図示せず）により回転されるものである。
【００２４】
直線状の搬入経路５は、第２原稿受入部６と画像読取位置１との間に連通する直線状の搬入経路であり、第２原稿受入部６から受け入れた原稿は、湾曲することなく直線状の搬入経路５を介して画像読取位置１に搬入される。このように搬入経路を直線状にすることで、原稿を湾曲することなく受け入れた状態で搬入することができることから、免許証等の硬く湾曲しにくい原稿であっても搬入ができ、また搬入により原稿が折れ曲がる等し原稿を損傷させることはない。
【００２５】
第２原稿受入部６は、免許証等の硬い原稿が受け入れられる受入部であり、原稿受入口６ａと、フィードローラ６ｂと、プレスローラ６ｃとで構成されている。原稿受入口６ａは、画像読取装置１００の壁面部に設けられている。原稿受入口６ａから原稿を受け入れる場合には、原稿を１枚ずつ受け入れる。また、原稿受入口６ａ付近に原稿トレイ（図示せず）を設けることで、複数枚の原稿を連続して受け入れることが可能である。フィードローラ６ｂ及びプレスローラ６ｃは、それぞれのローラの表面で原稿をニップすることができるように配置されている。フィードローラ６ｂは、原稿受入口６ａより受け入れた原稿を直線状の搬入経路５を介して画像読取位置１へ一定速度で送り込む。なお、フィードローラ６ｂは駆動源（図示せず）により回転されるものである。また、原稿受入口６ａより原稿を受け入れたことを原稿受入センサ６ｄにより検知し、該検知信号に基づいて、制御部（図示せず）がフィードローラ６ｂの動作を制御する。
【００２６】
直線状の搬出経路７は、画像読取位置１と原稿排出部８との間を連通する直線状の搬出経路であり、画像読取位置１で画像を読み取られた原稿は、湾曲することなく直線状の搬出経路７を介して原稿搬出部８から排出される。このように搬出経路を直線状にすることで、原稿を湾曲することなく受け入れた状態で原稿搬出部８へ搬出が可能であることから、免許証等の硬く湾曲しにくい原稿であっても搬出ができ、また搬出により原稿が折れ曲がる等し原稿を損傷させることはない。
【００２７】
原稿排出部８は、排出トレイ８ａと、フィードローラ８ｂと、プレスローラ８ｃとで構成されている。排出トレイ８ａは、複数枚の原稿を収容できるように、直線状の搬出経路７の原稿排出部８側端部の下面から下方に段差を設けて、原稿トレイ４ａの下方に配置されている。フィードローラ８ｂ及びプレスローラ８ｃは、それぞれのローラの表面が原稿をニップすることができるように配置されている。フィードローラ８ｂは、直線状の搬出経路７より搬出された原稿を排出トレイ８ａに排出する。プレスローラ８ｃは、フィードローラ８ｂと連動して原稿を排出トレイ８ａに排出する。なお、フィードローラ８ｂは駆動源（図示せず）により回転されるものである。
【００２８】
画像読取装置１００において免許証等の硬い原稿の画像を読み取る場合、原稿は第２受入部６から受け入れられ、直線状の搬入経路５、画像読取位置１、直線状の搬出経路７と搬出入され、原稿排出部８より排出される。このような搬出入経路で原稿を処理することで、原稿を湾曲せずに受け入れた状態のままで搬出入が可能となり、硬く湾曲しにくい原稿であっても搬出入でき、また搬出入することにより原稿が折れ曲がる等し原稿を損傷させることはない。
【００２９】
図２は本発明の実施形態に係る画像読取装置２００についての内部構成の概略図である。画像読取装置２００は、画像読取装置１００と同様に、搬入される原稿の画像を画像読取位置１で読み取る画像読取部２と、湾曲状の搬入経路３を介して搬入される原稿を受け入れる第１原稿受入部４と、直線状の搬入経路５を搬入される原稿を受け入れる第２原稿受入部６と、画像読取位置１で画像が読み取られ湾曲状の搬出経路１１を搬出された原稿を排出する原稿排出部１２とを有する。このようにして、画像読取装置２００は湾曲状の搬入経路３と湾曲状の搬出経路１１がＵ字状の搬出入経路を構成し、直線状の搬入経路５と湾曲状の搬出経路１１が別の搬出入経路を構成するＡＤＦを装備する。画像読取部２００がこのような構成のＡＤＦを装備することにより、Ｕ字状の搬出入経路のＵターン後に、直線状の搬入経路５から原稿を合流することができる。
【００３０】
湾曲状の搬出経路１１は、画像読取位置１と原稿排出部１２との間を連通する湾曲状の搬出経路であり、画像読取位置１で画像を読み取られた原稿は、湾曲状の搬出経路１１を介して排出される。湾曲状の搬出経路１１は、同じ湾曲状の搬入経路３と比べ、曲率半径の大きい湾曲状の経路であるため、免許証等の硬い原稿であっても折れ曲がることなく搬出することができる。また湾曲状の搬出経路１１には、適宜フィードローラ１３及びプレスローラ１４が設けられている。フィードローラ１３及びプレスローラ１４は、それぞれのローラの表面で原稿をニップすることができるように配置されている。フィードローラ１３は、画像読取位置１より搬出された原稿を原稿排出部１２へ搬出する。プレスローラ１４は、フィードローラ１３と連動して画像読取位置１より搬出された原稿を原稿排出部１２へ搬出する。なお、フィードローラ８ｂは駆動源（図示せず）により回転されるものである。このように搬出経路１１を湾曲状にすることで搬出経路１１の端部にある原稿排出部１２を画像読取位置１より高い位置に設けることができる。
【００３１】
原稿排出部１２は、排出トレイ１２ａと、フィードローラ１２ｂと、プレスローラ１２ｃとで構成されている。排出トレイ１２ａは、複数枚の原稿を収容できるように、湾曲状の搬出経路１１の原稿排出部１２側端部の下面から下方に段差を設けて、原稿トレイ４ａの下方に配置されている。フィードローラ１２ｂ及びプレスローラ１２ｃは、それぞれのローラの表面で原稿をニップすることができるように配置されている。フィードローラ１２ｂは、湾曲状の搬出経路１１を介して搬出された原稿を排出トレイ１２ａに排出する。プレスローラ１２ｃは、フィードローラ１２ｂと連動して、湾曲状の搬出経路１１を介して搬出された原稿を排出トレイ１２ａに排出する。なお、フィードローラ１２ｂは駆動源（図示せず）により回転されるものである。
【００３２】
画像読取装置２００において免許証等の硬い原稿の画像を読み取る場合、原稿は第２受入部６から受け入れられ、直線状の搬入経路５、画像読取位置１、曲率半径の大きい湾曲状の搬出経路１１と搬出入され、原稿排出部１２より排出される。このような搬出入経路で原稿を処理することで、硬く湾曲しにくい原稿であっても搬出入ができ、また搬出入することにより原稿が折れ曲がる等し原稿を損傷させることはない。また、画像読取位置１からの搬出経路を湾曲状し、かつ排出トレイ１２ａを湾曲状の搬出経路１１の原稿排出部側端部の下面から下方に段差を設けることで、搬出経路１１の終端部にある原稿排出部１２を画像読取位置１より高い位置に設けることが可能となるので、排出される複数枚の原稿を重ねて、画像読取位置１より高い位置に保持することが可能となる。よって画像読取装置２００は、ＦＢＳ（Ｆｌａｔ  Ｂｅｄ  Ｓｃａｎｎｅｒ）兼用機としても適用できる。
【００３３】
図３は本発明の実施形態に係る画像読取装置３００についての内部構成の概略図である。画像読取装置３００は、画像読取装置１００及び２００と同様に、搬入される原稿の画像を画像読取位置１で読み取る画像読取部２と、湾曲状の搬入経路３を介して搬入される原稿を受け入れる第１原稿受入部４と、直線状の搬入経路５を搬入される原稿を受け入れる第２原稿受入部６と、画像読取位置１で画像が読み取られ直線状の搬出経路７を介して搬出された原稿を排出する第１原稿排出部１５及び画像読取位置１で画像が読み取られ湾曲状の搬出経路１１を介して搬出された原稿を排出する第２原稿排出部１６の２つの原稿排出部とを有する。このようにして、画像読取装置３００は湾曲状の搬入経路３と湾曲状の搬出経路１１がＵ字状の搬出入経路を構成し、直線状の搬入経路５と直線状の搬出経路７が直線状の搬出入経路を構成するＡＤＦを装備する。画像読取部３００がこのような構成のＡＤＦを装備することにより、Ｕ字状の搬出入経路とは別に、直線状の搬出入経路により原稿を搬出入することができる。
【００３４】
第１原稿排出部１５は、第２原稿受入部６より受け入れられた原稿のみを排出する排出部であり、排出トレイ１５ａと、フィードローラ１５ｂと、プレスローラ１５ｃとで構成されている。排出トレイ１５ａは、複数枚の原稿を収容できるように、湾曲状の搬出経路７の第１原稿排出部１５側端部の下面から下方に段差を設けて、排出トレイ１６ａの下方に配置されている。フィードローラ１５ｂ及びプレスローラ１５ｃは、それぞれのローラの表面で原稿をニップすることができるように配置されている。フィードローラ１５ｂは、直線状の搬出経路７を介して搬出された原稿を排出トレイ１５ａに排出する。プレスローラ１５ｃはフィードローラ１５ｂと連動して直線状の搬出経路７を介して搬出された原稿を排出する。なお、フィードローラ１５ｂは駆動源（図示せず）により回転されるものであり、湾曲状の搬出経路１１に設置するプレスローラ１７とも連動して動作を行う。
【００３５】
第２原稿排出部１６は、第１原稿受入部４より受け入れられた原稿のみを排出する排出部であり、排出トレイ１６ａと、フィードローラ１６ｂと、プレスローラ１６ｃとで構成されている。排出トレイ１６ａは、複数枚の原稿を収容できるように、湾曲状の搬出経路１１の第２原稿排出部１６側端部の下面から下方に段差を設けて、原稿トレイ４ａの下方、かつ排出トレイ１５ａの上方に配置されている。フィードローラ１６ｂ及びプレスローラ１６ｃは、それぞれのローラの表面で原稿をニップすることができるように配置されている。フィードローラ１６ｂは、湾曲状の搬出経路１１を介して搬出された原稿を排出トレイ１６ａに排出する。プレスローラ１６ｃは、フィードローラ１６ｂと連動して湾曲状の搬出経路１１を介して搬出された原稿を排出トレイ１６ａに排出する。なお、フィードローラ１６ｂは駆動源（図示せず）により回転されるものである。
【００３６】
画像読取装置３００は、免許証等の硬い原稿とそれ以外の原稿とを別々の原稿排出部から排出するために、受け入れた原稿によって排出すべき原稿排出部へ搬出する搬出経路を振り分ける原稿搬送選択部１８ａを有している。図４（ａ）は、画像読取装置３００の画像読取位置１近傍の断面説明図であり、図４（ｂ）は、図４（ａ）におけるＡ−Ａ矢視断面を概略的に示した上部省略概略断面図である。原稿搬送選択部１８ａは、図４（ａ）に示すように、断面形状が三角形であり、直線状の搬出経路７及び湾曲状の搬出経路１１の分岐点に設置されている。また、原稿搬送選択部１８ａの長手方向の長さは、図４（ｂ）に示すように、湾曲状の搬入経路３の幅より直線状の搬入経路５及び７の幅だけ短くなっている。なお、原稿搬送選択部１８ａの断面形状は、図４（ａ）においては三角形となっているが、三角形に限定されるものではない。
【００３７】
第２原稿受入部６から受け入れた原稿は、直線状の搬入経路５を通って画像読取位置１まで搬入され、そのまま画像読取位置１を通過するが、図４（ｂ）に示すように、直線状の搬出経路７上に原稿搬送選択部１８ａが存在しないため、原稿はそのまま直線状の搬出経路７を搬出され、第１原稿排出部１５より排出される。第２原稿受入部６から受け入れられる原稿は直線状の搬入経路５の幅以下の原稿のみであるため、第２原稿受入部６から受け入れた原稿は、第１原稿排出部１５より排出されることとなる。
【００３８】
一方、第１原稿受入部４から受け入れた原稿は、湾曲状の搬入経路３を介して画像読取位置１まで搬入され、そのまま画像読取位置１を通過するが、第２原稿受入部６から受け入れた原稿とは異なり、原稿の先端部が原稿搬送選択部１８ａの上部の傾斜面に当たる。これにより原稿が当該上部傾斜面に沿って搬出され、湾曲状の搬出経路１１を経て搬出される。
【００３９】
このように直線状の搬出経路７及び湾曲状の搬出経路１１の分岐点に傾斜面を有する原稿搬送選択部１８ａを設置することで、原稿の当該傾斜面への衝突の有無により原稿の搬出経路を選別することができる。すなわち、第２原稿受入部６から受け入れた免許証等の硬い原稿を常に直線状の搬出入経路のみを介して処理ができるため、硬く湾曲しにくい原稿であっても搬出入でき、また搬出入することにより原稿が折れ曲がる等し原稿を損傷させることはない。
【００４０】
図５は、本発明の実施形態に係る画像読取装置３００に対して原稿搬送選択部１８ａを原稿搬送選択部１８ｂに置き換えた変形例を示す画像読取位置１近傍の断面説明図である。原稿搬送選択部１８ｂは、図５（ａ）及び（ｂ）に示すように、直線状の搬出経路７の上面と湾曲状の搬出経路１１の下面との分岐部に設置され、当該分岐部を基点としてその先端部が上下に回動する。この原稿搬送選択部１８ｂの先端部の回動は、原稿通過センサ１９、２０の出力信号に基いて、制御部（図示せず）が制御する。
【００４１】
原稿通過センサ１９は、直線状の搬入経路５上に設置され、原稿の先端部が検知位置を通過したことを検知することにより、原稿が直線状の搬入経路５を介して搬入されたことを判別する。そして、制御部（図示せず）は原稿通過センサ１９からの検知信号に基づいて、図５（ａ）に示すように、原稿搬送選択部１８ｂの先端部を上方に位置するように制御し、直線状の搬出経路７を介した搬出経路を確保する。
【００４２】
原稿通過センサ２０は、湾曲状の搬入経路３上に設置され、原稿の先端部が検知位置を通過したことを検知することにより、原稿が湾曲状の搬入経路３を介して搬入されたことを判別する。そして、制御部（図示せず）は原稿通過センサ２０からの検知信号に基づいて、図５（ｂ）に示すように、原稿搬送選択部１８ｂの先端部を下方に位置するように制御し、湾曲状の搬出経路１１を介した搬出経路を確保する。
【００４３】
このように直線状の搬出経路７の上面と湾曲状の搬出経路１１の下面との分岐部に原稿搬送選択部１８ｂを設置し、制御部（図示せず）により原稿搬送選択部１８ｂの先端部の位置を制御することで原稿の搬出経路を選別することができる。すなわち、第２原稿受入部６から受け入れた免許証等の硬い原稿を常に直線状の搬出入経路のみを介して処理ができるため、硬く湾曲しにくい原稿であっても搬出入でき、また搬出入することにより原稿が折れ曲がる等し原稿を損傷させることはない。また、原稿の幅に関係なく原稿の搬出経路を選別することができる。
【００４４】
以上の各本実施例では、説明のため必要最小限の搬送ローラを備えた画像読取装置を示したが、実際に免許証等の小型な原稿を搬出入する場合には、直線状の搬入経路５及び直線状の搬出経路７上に搬送ローラを適宜配置することが望ましい。例えば、図６（ａ）（ｂ）に示すように、直線状の搬入経路５及び直線状の搬出経路７上に搬送ローラ２１を適宜配置することで免許証等の小型な原稿を搬出入することが可能となる。
【図面の簡単な説明】
【００４５】
【図１】本発明の実施形態に係る画像読取装置１００についての内部構成の概略図である。
【図２】本発明の実施形態に係る画像読取装置２００についての内部構成の概略図である。
【図３】本発明の実施形態に係る画像読取装置３００についての内部構成の概略図である。
【図４】本発明の実施形態に係る画像読取装置３００についての画像読取位置１近傍の断面説明図（ａ）、図４（ａ）におけるＡ−Ａ矢視断面を概略的に示した上部省略概略断面図（ｂ）である。
【図５】本発明の実施形態に係る画像読取装置３００に対して原稿搬送選択部１８ａを原稿搬送選択部１８ｂに置き換えた変形例を示す画像読取位置１近傍の断面説明図である。
【図６】本発明の実施形態に係る画像読取装置についての画像読取位置１近傍の断面説明図（ａ）、図６（ａ）におけるＢ−Ｂ矢視断面を概略的に示した上部省略概略断面図（ｂ）である。
【図７】従来の画像読取装置４００についての内部構成の概略縦断面図である。
【符号の説明】
【００４６】
１                      画像読取位置
２                      画像読取部
３                      湾曲状の搬入経路
４                      第１原稿受入部
５                      直線状の搬入経路
６                      第２原稿受入部
７                      直線状の搬出経路
８、１２                原稿排出部
１１                    湾曲状の搬出経路
１５                    第１原稿排出部
１６                    第２原稿排出部
１８ａ、１８ｂ          原稿搬送選択部
１００、２００、３００  画像読取装置
【図１】
2008005278.tif 000003
【図２】
2008005278.tif 000004
【図３】
2008005278.tif 000005
【図４】
2008005278.tif 000006
【図５】
2008005278.tif 000007
【図６】
2008005278.tif 000008
【図７】
2008005278.tif 000009